(57)【要約】【課題】  小物入れが硬質の樹脂から成形されており、着座時での異物感が避けられず、トリムカバー端末との間での隙間の発生を確実に防止できない。【解決手段】  凹所１２Ｐ１がシートクッションのシートパッド１２Ｐの上面に形成される。上端が開口され、その上端開口の周縁にフランジ１６ａを有して凹所に対応した形状に、小物入れ１６がエラストマーなどの縫合可能な軟質素材から成形される。小物入れ１６はシートパッドの凹所１２Ｐ１に埋設され、そのフランジ１６ａはその先端が下方に折曲され、この折曲端１６ａ’に沿ってトリムカバー端末１２ｃ’を折り返し、フランジの折曲端とトリムカバー端末の折り返しとを縫合して小物入れ１６がトリムカバー１２ｃと一体化されている。【選択図】  図２
2014139082.tif 000002
【特許請求の範囲】
【請求項１】
シートクッションのシートパッド上面に形成した凹所に、その凹所に対応した形状に形成された収納部を埋設してシートクッションの座面に収納部を設け、
収納部は、上端が開口され、その上端開口の周縁にフランジを有するとともに、シートパッドを被覆するトリムカバーと縫合可能な軟質素材から成形され、
収納部のフランジがシートパッドを被覆するトリムカバーの端末にシートパッド上面で縫合された収納部付の車両用シート。
【請求項２】
シートクッションのシートパッド上面に形成した凹所に、その凹所に対応した形状に形成された収納部を埋設してシートクッションの座面に収納部を設け、
収納部は、上端が開口され、その上端開口の周縁にフランジを有するとともに、シートパッドを被覆するトリムカバーと縫合可能な軟質素材から成形され、
収納部のフランジはその末端で下方に折曲され、フランジ端末の折曲部に対応してトリムカバーの端末を折り返して、トリムカバーの端末の折り返しにフランジ端末の折曲部がシートパッド上面で縫合された収納部付の車両用シート。
【請求項３】
軟質素材が、エラストマー、軟質樹脂、成形不織布のいずれかである請求項１または２記載の収納部付の車両用シート。
【発明の詳細な説明】
【技術分野】
【０００１】
本発明は、シートクッション座面にカップホルダなどの小物入れ（小物ケース）を設けた車両用シートに関する。
【背景技術】
【０００２】
シートクッションの座面(上面)にカップホルダなどの小物入れ（小物ケース）を設けて、ドリンク、ガム、ペン、ティッシュなどの小物を収納可能とした車両用シートが知られている。
従来においては、シートクッションの前端角部などでシートパッドに凹所を形成し、この凹所に樹脂などからなるカップホルダを埋設して小物を収納する小物入れとしている。また、布よりなる袋状のポケットをシートパッドの凹所に被せて小物入れとした構成も知られているが、この構成ではドリンクなどの安定した収納が難しく、シートパッドに凹所に樹脂のカップホルダ（小物入れ）を埋設した構成が広く採用されている。
【０００３】
たとえば、特開２００６−０６１５３６号公報には、凹所の周縁でシートパッドを他の部分より硬質に成形し、カップホルダのフランジ(外フランジ)とこのシートパッドの硬質部との間でトリムカバーの端末を挟持し、カップホルダ底部をシートクッション下面のシートフレームにピン止めしてカップホルダをシートクッションの前端角部でシートパッドの凹所に埋設、配置した構成が記載されている。
【先行技術文献】
【特許文献】
【０００４】
【特許文献１】特開２００６−０６１５３６号公報
【発明の概要】
【発明が解決しようとする課題】
【０００５】
カップホルダは、一般的に、ＰＰ(ポリプロピレン)などの比較的硬質の樹脂から成形されるため、カップホルダをシートパッドの凹所に埋設して小物入れ（小物ケース）とした従来の構成では、ドリンクなどを安定して収納できる。しかし、シートパッドは、必要なクッション性を確保するためにウレタンフォームなどの発泡成形材から成形されており、硬質の樹脂からなる小物入れ（カップホルダ）とはその硬度において大きな差異があるため、着座時における小物入れの異物感が避けられない。
また、トリムカバーの端末は、硬質の樹脂からなる小物入れのフランジと、発泡成形材からなるシートパッドとの間に挟持されるが、シートクッション座面が撓むと、小物入れの開口部においてトリムカバーの端末との間に隙間が生じやすい。
【０００６】
上記特許文献１では、凹所の周縁でシートパッドを他の部分より硬質に成形して、シートクッション座面が撓んだ場合でのトリムカバー端末の間での隙間の発生を防止している。
【０００７】
しかし、凹所の周縁で他の部分より硬質にシートパッドを成形するために、高温に溶融された異なる２つの発泡成形材を成形金型に別々に高圧で注入して成形させる必要があり、成形加工が複雑化してコスト高となる。
【０００８】
また、小物入れ底部をシートクッション下面のシートフレームにピン止めして小物入れのフランジに下方への押力を生じさせ、この押力のもとでトリムカバーの端末をシートパッドの硬質部に押し付けて挟持しているにすぎず、挟持によるトリムカバーの端末の保持は固定的なものでない。凹所の周縁でシートパッドを他の部分より硬質に成形しても、大きな圧縮力が凹所の回りでシートパッドに加われば、シートパッドの硬質部の圧縮、変形が避けられず、トリムカバーの端末の挟持が緩むおそれがある。
【０００９】
たとえば、小物入れのフランジ下面に凹凸を設けて大きな摩擦抵抗のもとでトリムカバーの端末を挟持すれば、挟持の緩みを防止できる。しかしながら、小物入れの成形金型の形状が複雑化してコスト高となる。また、フランジ下面を凹凸付としても、挟持の緩みを完全に防止することは難しい。
【００１０】
本発明は、着座時での隙間の発生を確実に防止できるとともに異物感を感じさせない小物入れを持つ車両用シートの提供を目的としている。
【課題を解決するための手段】
【００１１】
請求項１に係る本発明によれば、シートクッションのシートパッド上面に形成した凹所に、その凹所に対応した形状に形成された収納部を埋設してシートクッションの座面に収納部を設け、収納部は、上端が開口され、その上端開口の周縁にフランジを有するとともに、シートパッドを被覆するトリムカバーと縫合可能な軟質素材から成形され、収納部のフランジがシートパッドを被覆するトリムカバーの端末にシートパッド上面で縫合された構成となっている。
【発明の効果】
【００１２】
請求項１に係る本発明では、軟質素材から成形されているため、小物入れはそのフランジをトリムカバーの端末に縫合させることができ、縫合されてトリムカバーと一体化されているため、着座によってシートクッションの座面が撓んでもトリムカバーの端末との間に隙間の生じる余地はなく、隙間の発生が確実に防止される。
小物入れは縫合の可能な軟質素材から成形され、シートパッドとの硬度の差が小さいため、着座時においても小物入れの存在に異物感を感じることがない。
【図面の簡単な説明】
【００１３】
【図１】本発明の一実施例に係る小物入れ付の車両用シートの概略斜視図を示す。
【図２】図１の線Ａ−Ａの部分断面図を示す。
【発明を実施するための形態】
【００１４】
凹所がシートクッションのシートパッド上面に形成される。そして、その凹所に対応した形状に形成された収納部を埋設してシートクッションの座面に収納部を設け、収納部は、上端が開口され、その上端開口の周縁にフランジを有するとともに、シートパッドを被覆するトリムカバーと縫合可能な軟質素材から成形される。収納部のフランジがシートパッドを被覆するトリムカバーの端末にシートパッド上面で縫合される。
【実施例】
【００１５】
以下、図面を参照しながら本発明の実施例を詳細に説明する。図１は本発明の一実施例に係る小物入れ付の車両用シートの概略斜視図を示し、図２は図１の線Ａ−Ａの部分断面図を示す。
【００１６】
図１に示すように、車両用シート１０は、シートクッション１２と、シートクッションの後端に設けられたシートバック１４とを有して構成され、アームレスト１４ａがシートバック側面にピン１４ａ１の回りで揺動可能に、ヘッドレスト１４ｈがシートバック上面に昇降可能にそれぞれ設けられている。シートクッション１２、シートバック１４の基本的な構造は周知であり、骨格となるシートフレームにウレタンフォームなどの発泡成形材からなるシートパッドを載せ、通気性のあるトリムカバーでシートパッド覆ってシートクッション、シートバックが形成されている。
【００１７】
図１の線Ａ−Ａに沿った断面を示す図２からわかるように、シートクッションのシートパッド１２Ｐのたとえば前端に凹所１２Ｐ１が形成され、この凹所を利用して、シートクッションの座面(上面)１２Ｕにカップホルダなどの小物入れ（小物ケース、カップホルダ）１６が設けられている。
【００１８】
凹所１２Ｐ１は、ドリンク、ガム、ペン、ティッシュなどの小物を収納可能なケース形状、たとえば、横断面が矩形、円形、非円形（たとえば、楕円形）に、縦断面が矩形にそれぞれ成形される。そして、小物入れ１６は、上端が開口され、その上端開口の周縁にフランジ(外フランジ)１６ａを有して凹所１２Ｐ１に対応した形状に軟質素材から成形され、軟質素材として、たとえば、エラストマー、軟質樹脂、成形不織布などの縫合可能な素材が例示できる。
【００１９】
図２に示すように、小物入れのフランジ１６ａは、その末端で下方に(小物入れの底部方向に)折曲され、この折曲端１６ａ’に対応して、つまり、折曲端に沿ってトリムカバー１２ｃの端末が下方に折り返されている。そして、フランジの折曲端１６ａ’とトリムカバー端末の折り返し１２ｃ’とが縫合されている。なお、参照符号１８は縫合部を示す。
【００２０】
フランジの折曲端１６ａ’がトリムカバー端末の折り返し１２ｃ’に縫合されて、小物入れ１６がトリムカバー１２ｃと一体化されるため、着座によってシートクッションの座面が撓んでもトリムカバーの端末との間に隙間の生じる余地はなく、隙間の発生が確実に防止される。
【００２１】
２種類の発泡成形材を成形金型に送り込んで硬度の異なる部分を成形する従来の構成とは異なり、フランジの折曲端１６ａ’とトリムカバー端末の折り返し１２ｃ’とを縫合して一体化するだけで足り、構成が簡単で低コスト化できる。
【００２２】
小物入れのフランジ１６ａの先端を下方に折曲し、この折曲端１６ａ’に対応してトリムカバーの端末を折り返して、折曲端をトリムカバー端末の折り返し１２ｃ’に縫合している。そのため、トリムカバー１２の端末に引張力が生じても折曲端を変形させる余地があり、これが遊びとなって縫合部１８の破断を防止できる。つまり、折曲端１６ａ’のないフランジ１６ａにトリムカバー１２ｃの端末を直接重ねて縫合した場合に比較して、引張力に対応できる耐久性のある構成が得られる。
【００２３】
小物入れ１６は縫合の可能な軟質素材から成形されて、ウレタンフォームなどの発泡成形材からなるシートパッド１２Ｐとの硬度の差が小さいため、着座時においても小物入れの存在に異物感を感じることがない。
【００２４】
また、小物入れ１６が軟質素材から成形されてシートパッドの凹所１２Ｐ１に埋設され、上端開口部のフランジ１６ａがトリムカバー１２ｃの端末に縫合されているため、小物入れの底部をシートフレームなどにピン止めしなくても、その外形形状が崩れることなく維持され、ドリンク、ガム、ペン、ティッシュなどの小物を安定して収納できる。
【００２５】
小物入れ１６をシートパッドの凹所に埋設して、そのフランジ１６ａをトリムカバー１２ｃの端末に縫合するだけで、シートクッション座面に小物入れが設けられ、シートフレームなどへの小物入れのピン止めが不要であるため、作業性が改善され、この点からも低コスト化が可能となる。
【００２６】
上記のように、本発明によれば、縫合によって小物入れがトリムカバーと一体化されているため、トリムカバーの端末との間での隙間の発生が防止される。また、軟質素材からなるため、小物入れがシートクッション座面１２Ｕに存在しても異物感を感じない。
【００２７】
上述した実施例は、この発明を説明するためのものであり、この発明を何等限定するものでなく、この発明の技術範囲内で変形、改造等の施されたものも全てこの発明に包含されることはいうまでもない。
【００２８】
小物入れ１６のための軟質素材として、エラストマー、軟質樹脂、成形不織布を例示したが、これに限定されず、トリムカバーに縫合可能で、異物感がなく、小物を安定して収納できるものであればよい。
【００２９】
実施例では、小物入れ１６はシートクッションの座面１２Ｕの前端に設けられているが、小物入れを設ける位置はこれに限定されず、シートクッションの座面の左右の端に設けてもよい。
【００３０】
さらに、実施例では、小物入れ１６をシートクッションの座面１２Ｕに設けた場合について述べたが、小物入れを設ける位置はシートクッションの座面に限定されず、他の位置、たとえば、アームレスト１４ａの上面に設けてもよい。
【産業上の利用可能性】
【００３１】
本発明は、ドライバーシート、アシスタントシートなどのフロントシートに適するとはいえ、セカンドシート、サードシートなどのシートにも応用できる。
さらに、通常、自動車のシートに応用されるが、自動車以外の車両用シート、たとえば、電車、飛行機等のシートにも本発明を応用できる。
【符号の説明】
【００３２】
１０      車両用シート
１２      シートクッション
１２Ｕ    シートクッションの座面(上面)
１２ｃ    トリムカバー
１２ｃ’  トリムカバー端末の折り返し
１２Ｐ    シートパッド
１２Ｐ１  凹所
１４      シートバック
１６      小物入れ(小物ケース、カップホルダ)
１６ａ    フランジ
１６ａ’  折曲端
１８      縫合部
【図１】
2014139082.tif 000003
【図２】
2014139082.tif 000004